(57)【特許請求の範囲】
【請求項１】
躯体骨組みとして平行に隣接配置した一対の横枠材（１ａ，１ｂ）、及び当該横枠材（１ａ，１ｂ）と組み合って平行に隣接配置した一対の縦枠材（２）、並びに当該縦枠材（２）の間を封じる複数の滑り板（３）、及び当該滑り板（３）を各々定位置に閉じ込む閉じ板（８）、並びに滑り板（３）及び閉じ板（８）を横枠材（１ａ，１ｂ）に締結する締結部材（９ａ，９ｂ）、並びに滑り板（３）及び閉じ板（８）の見付面に固定する補強板（１５）からなり、
両縦枠材（２）は、相対向する面に滑り板（３）の両側部を保持する溝（４）を備えると共に、両縦枠材（２）の中間部に滑り板（３）の両側部を溝（４）に導く切欠部（５）を備え、各滑り板（３）は、各々の両側部に両縦枠材（２）の溝（４）と継ぎ合わさるホゾ（６）を備えると共に、各々の縦寸法を共通位置で貫通する通し孔（７）を備え、閉じ板（８）は、その両端部が両縦枠材（２）の切欠部（５）に嵌まって滑り板（３）を移動及び脱出不能とするものであって、縦寸法を貫通する通し孔（１６）を備え、滑り板（３）の通し孔（７）と閉じ板（８）の通し孔（１６）とは連通するものであり、
滑り板（３）及び／又は閉じ板（８）は、前記通し孔（７，１６）に挿通した締結部材（９ａ，９ｂ）で、一方の横枠材（１ａ）と他方の横枠材（１ｂ）にそれぞれ締結してあって、一方の横枠材（１ａ）に締結される締結部材（９ａ）と、他方の横枠材（１ｂ）に締結される締結部材（９ｂ）が、両横枠材（９ａ，９ｂ）の中間部で水平方向に重なっており、補強板（１５）は、横枠材（１ａ，１ｂ）と縦枠材（２）の内寸に略等しい大きさであって、全ての滑り板（３）及び閉じ板（８）の見付面に固定するものであることを特徴とする木造建築の面構造。
【請求項２】
躯体骨組みとして平行に隣接配置した一対の横枠材（１ａ，１ｂ）、及び当該横枠材（１ａ，１ｂ）と組み合って平行に隣接配置した一対の縦枠材（２）、並びに当該縦枠材（２）の間を封じる複数の滑り板（３）、及び当該滑り板（３）を各々定位置に閉じ込む閉じ板（８）、並びに滑り板（３）及び閉じ板（８）を横枠材（１ａ，１ｂ）に締結する締結部材（９ａ，９ｂ）、並びに滑り板（３）及び閉じ板（８）の見付面に固定する補強板（１５）からなり、
両縦枠材（２）は、相対向する面に滑り板（３）の両側部を保持する溝（４）を備えると共に、両縦枠材（２）の中間部に滑り板（３）の両側部を溝（４）に導く切欠部（５）を備え、各滑り板（３）は、各々の両側部に両縦枠材（２）の溝（４）と継ぎ合わさるホゾ（６）を備えると共に、各々の縦寸法を共通位置で貫通する通し孔（７）を備え、閉じ板（８）は、その両端部が両縦枠材（２）の切欠部（５）に嵌まって滑り板（３）を移動及び脱出不能とするものであって、縦寸法を貫通する通し孔（１６）を備え、滑り板（３）の通し孔（７）と閉じ板（８）の通し孔（１６）とは連通するものであり、
滑り板（３）及び／又は閉じ板（８）は、前記通し孔（７，１６）に挿通した締結部材（９ａ，９ｂ）で、一方の横枠材（１ａ）と他方の横枠材（１ｂ）にそれぞれ締結してあって、一方の横枠材（１ａ）に締結される締結部材（９ａ）と、他方の横枠材（１ｂ）に締結される締結部材（９ｂ）が、両横枠材（９ａ，９ｂ）の中間部で水平方向に重なっており、補強板（１５）は、横枠材（１ａ，１ｂ）と縦枠材（２）の内寸に略等しい大きさであって、全ての滑り板（３）及び閉じ板（８）の見付面に固定する木造建築の面構造の構築方法であって、
両縦枠材（２）の溝（４）へ滑り板（３）のホゾ（６）を切欠部（５）から導入し両縦枠材（２）に滑り板（３）を装着する継ぎ入れ工程と、両縦枠材の切欠部（５）に閉じ板（８）の両端部を嵌め入れて固定し滑り板（３）を脱出不能とする閉じ込み工程と、滑り板（３）と閉じ板（８）を締結部材（９ａ，９ｂ）により横枠材（１ａ，１ｂ）に締結する締結工程と、滑り板（３）及び閉じ板（８）の見付面に補強板（１５）を固定する補強工程を経ることを特徴とする木造建築の面構造の構築方法。
【発明の詳細な説明】
【技術分野】
【０００１】
本発明は、所謂板倉造りを採った木造建築の面構造及びその構築方法に関する。
【背景技術】
【０００２】
従来、在来工法における木造建築を構成する面構造として、一対の柱の間に板を挟み込む板倉造りという工法が用いられている。この工法は、一対の柱の相対向する面に板の両側縁が嵌る溝を形成し、柱の端部から順次必要な枚数だけ落し込み、両柱の間を封じるものである。
かかる工法によって形成された面構造は、それを構成する各部材が組み上がった後にあっても個々独立しており、面構造一体としての強度が与えられていないという問題があった。
【０００３】
そこで、本願発明者は、特許文献１に示すように、締結部材により各部材を一体化することによって、構造物の保形強度及び一体性を向上させたものを提案している。
【先行技術文献】
【特許文献】
【０００４】
【特許文献１】特開２０１２−１７２４３２号公報
【発明の概要】
【発明が解決しようとする課題】
【０００５】
しかし、上記特許文献１に示す従来の工法では、閉じ板の上側の滑り板と下側の滑り板がそれぞれ一体に締結されているが、上下の滑り板が閉じ板で分断された構造となっていた。よって、閉じ板の上下の滑り板を一体に締結することで、より強度を高める余地があった。
【０００６】
本発明は上記実情に鑑みてなされたものであって、板倉造りを採用した面構造一体としてより高い強度を備えた木造建築の面構造及びその構築方法の提供を目的とする。
【課題を解決するための手段】
【０００７】
上記課題を解決すべくなされた本発明による木造建築の面構造は、躯体骨組みとして平行に隣接配置した一対の横枠材、及び当該横枠材と組み合って平行に隣接配置した一対の縦枠材、並びに当該縦枠材の間を封じる複数の滑り板、及び当該滑り板を各々定位置に閉じ込む閉じ板、並びに滑り板及び閉じ板を横枠材に締結する締結部材、並びに滑り板及び閉じ板の見付面に固定する補強板からなり、両縦枠材は、相対向する面に滑り板の両側部を保持する溝を備えると共に、両縦枠材の中間部に滑り板の両側部を溝に導く切欠部を備え、各滑り板は、各々の両側部に両縦枠材の溝と継ぎ合わさるホゾを備えると共に、各々の縦寸法を共通位置で貫通する通し孔を備え、閉じ板は、その両端部が両縦枠材の切欠部に嵌まって滑り板を移動及び脱出不能とするものであって、縦寸法を貫通する通し孔を備え、滑り板の通し孔と閉じ板の通し孔とは連通するものであり、滑り板及び／又は閉じ板は、前記通し孔に挿通した締結部材で、一方の横枠材と他方の横枠材にそれぞれ締結してあって、一方の横枠材に締結される締結部材と、他方の横枠材に締結される締結部材が、両横枠材の中間部で水平方向に重なっており、補強板は、横枠材と縦枠材の内寸に略等しい大きさであって、全ての滑り板及び閉じ板の見付面に固定するものであることを特徴とする。
【０００８】
なお、横枠材及び閉じ板、並びにそれらに挟まれて横枠材に定着された滑り板からなる閉鎖面は、平行に隣接配置された一対の縦枠材について上下に二つ設けても良い。
また、締結部材は、ボルト、鉄芯、ワイヤ等、滑り板等を一体化できる部材であれば良い。
【０００９】
上記課題を解決すべくなされた本発明による木造建築の面構造の構築方法は、躯体骨組みとして平行に隣接配置した一対の横枠材、及び当該横枠材と組み合って平行に隣接配置した一対の縦枠材、並びに当該縦枠材の間を封じる複数の滑り板、及び当該滑り板を各々定位置に閉じ込む閉じ板、並びに滑り板及び閉じ板を横枠材に締結する締結部材、並びに滑り板及び閉じ板の見付面に固定する補強板からなり、両縦枠材は、相対向する面に滑り板の両側部を保持する溝を備えると共に、両縦枠材の中間部に滑り板の両側部を溝に導く切欠部を備え、各滑り板は、各々の両側部に両縦枠材の溝と継ぎ合わさるホゾを備えると共に、各々の縦寸法を共通位置で貫通する通し孔を備え、閉じ板は、その両端部が両縦枠材の切欠部に嵌まって滑り板を移動及び脱出不能とするものであって、縦寸法を貫通する通し孔を備え、滑り板の通し孔と閉じ板の通し孔とは連通するものであり、滑り板及び／又は閉じ板は、前記通し孔に挿通した締結部材で、一方の横枠材と他方の横枠材にそれぞれ締結してあって、一方の横枠材に締結される締結部材と、他方の横枠材に締結される締結部材が、両横枠材の中間部で水平方向に重なっており、補強板は、横枠材と縦枠材の内寸に略等しい大きさであって、全ての滑り板及び閉じ板の見付面に固定する木造建築の面構造の構築方法であって、両縦枠材の溝へ滑り板のホゾを切欠部から導入し両縦枠材に滑り板を装着する継ぎ入れ工程と、両縦枠材の切欠部に閉じ板の両端部を嵌め入れて固定し滑り板を脱出不能とする閉じ込み工程と、滑り板と閉じ板を締結部材により横枠材に締結する締結工程と、滑り板及び閉じ板の見付面に補強板を固定する補強工程を経ることを特徴とする。
【発明の効果】
【００１０】
本発明による木造建築の面構造によれば、滑り板と閉じ板が、締結部材により両横枠材にそれぞれ締結されており、一方の横枠材に締結される締結部材と他方の横枠材に締結される締結部材が、両横枠材の中間部で水平方向に重なっているので、両横枠材と、全ての滑り板及び閉じ板が一体に締結され、構造全体として高い強度を備えている。そして、補強板を全ての滑り板と閉じ板に固定してあるので、さらに強度が高められている。
【図面の簡単な説明】
【００１１】
【図１】木造建築の面構造の正面図である。
【図２】図１のＡ−Ａ線断面図である。
【図３】木造建築の面構造の構築方法の工程例を示す縦断面図である。
【図４】羽目板（滑り板）の部分拡大図である。
【図５】木造建築の面構造の適用例を示す横断面図である。
【発明を実施するための形態】
【００１２】
以下、本発明による木造建築の面構造及びその構築方法を図面に基づき詳細に説明する。
木造建築における躯体骨組みのいずれを横枠材１ａ，１ｂや縦枠材２に設定するかによって、面構造及びその構成要素の用途（壁、床、天井等）やそれらに求められる性質が異なってくる。
【００１３】
図１及び図２は、壁構造として構築した実施例を示したものである。
この例は、躯体骨組みとして平行に隣接配置した梁１ａ及び敷居１ｂ（一対の横枠材）、これらと直角に組み合わせて平行に隣接配置した一対の柱（縦枠材）２、両柱２の間を封じる複数の羽目板（滑り板）３、当該羽目板３を柱２の溝４から脱出不能に各々定位置に閉じ込む閉じ板８、並びに梁１ａ、閉じ板８及び閉じ板８の上下の羽目板３を一体に締結する締結部材９ａ，９ｂ、並びに羽目板３及び閉じ板８の見付面に固定する補強板１５で構成される（図１は補強板１５を透過して図示している）。
【００１４】
本実施例の一対の柱２は、各々同じ長さであって、各柱２の両端部はその端面から突出した組みホゾＸを備える。各柱２の組みホゾＸは、各々梁１ａの下面と敷居１ｂの上面に等しい間隔を隔てて設けたホゾ穴Ｙと組み合って、長方形状の開口部を備えた枠（横枠材１ａ，１ｂと縦枠材２）を構成する。なお、この例では、さらにボルト１０を併用して補強している。
【００１５】
両柱２は、相対向する側面に羽目板３の両側部を保持する溝４を備えると共に、その中間部の同位置に羽目板３の両側部を溝４に導く切欠部５を左右各々対として備える。当該左右一対の切欠部５は、各々羽目板３を両柱２に装着するための出入口Ｚとなる。
一方、両柱２の間を封じる各羽目板３は、各々の両側部に両柱２の溝４と継ぎ合わさるホゾ６を備えると共に、各々の縦寸法全域を共通位置で貫通する通し孔７を備える。通し孔７は、等間隔に１３本並んで形成してある。
ここで、溝４は、開口側の溝幅を奥側よりも狭く設定したアリ溝としてあり、ホゾ６は、当該アリ溝に嵌まる先端側の幅が基部側の幅よりも広く設定したアリホゾとしてあって、溝４とホゾ６が継ぎ合わさってアリ継ぎとなる。
そして、当該ホゾ６と溝４との継ぎ合いが緊密になる程、溝４におけるホゾ６の滑りが困難となるので、必要に応じて、前記出入口Ｚを適宜散設する構成とすることもできる。
【００１６】
両柱２の切欠部５を経て、羽目板３のホゾ６を両柱２の溝４に抵触無く導入し得る様にするには、当該切欠部５の縦幅は、両柱２に装着する羽目板３の終端を始点として、当該羽目板３の縦寸法と略等しくなる様に設定し、その奥行き及び横幅は、羽目板３を導入する側の両柱（両縦枠材）２の表面又は裏面から、少なくとも各柱２に設けた溝４に導入する位置（羽目板３のホゾ６が両柱２の溝４の滑り軌道又はその延長線上に存在することとなる位置）に当該羽目板３が収まる深さ及び幅に設定する。
なお、羽目板３のホゾ６を滞りなく両柱２の溝４に導入する点では、上記いずれの寸法にあっても、羽目板３が緊密に嵌まる寸法より僅かに大きくすることが望ましい。
【００１７】
本実施例では、出入口Ｚの上側に一枚の羽目板３を配置し、出入口Ｚの下側に四枚の羽目板３を配置する。すなわち、図３（ａ）に示すように、羽目板３を出入口Ｚから嵌め込み、羽目板３のホゾ６を各柱２の溝４に挿入して、上下に滑らせる。全ての羽目板３を取り付けたら、図３（ｂ）に示すように、出入口Ｚに羽目板３と略同形態の閉じ板８を嵌め込み、羽目板３を脱出不能に閉じ込む。この際、出入口Ｚの存在が目立たぬ様に、閉じ板８の両端及び表面に羽目板３と同様の加工を施す等しても良い。
なお、閉じ板８は、縦寸法を貫通する通し孔１６を備えており、通し孔１６は、等間隔に１３本並んで形成してあって、羽目板３の通し孔７と連通している。また、閉じ板８は羽目板３そのもの、又は羽目板３と略同形態でもよいし、上下かまち等として機能する例えば肉厚な異なる形態としても良い。
【００１８】
梁１ａ及び敷居１ｂは、両柱２の間を封じる羽目板３の通し孔７及び閉じ板８の通し孔１６の延長線上に、各々貫通孔１１ａ，１１ｂを備える。ただし、梁１ａには、羽目板３及び閉じ板８の通し孔７，１６に対して１つ置きに６つの貫通孔１１ａを形成してあり、敷居１ｂには、梁１ａの貫通孔１１ａとはずらして、羽目板３及び閉じ板８の通し孔７，１６に対して１つ置きに７つの貫通孔１１ｂを形成してある。
そして、図１及び図３（ｃ）に示すように、梁１ａの各貫通孔１１ａから、締結部材９ａとして、ボルト９１ａを挿入する。ボルト９１ａは、閉じ板８の上側の羽目板３の通し孔７、閉じ板８の通し孔１６、及び閉じ板８の下側の３枚の羽目板３の通し孔７を貫通して、下から２枚目の羽目板３の下端まで到達する。この羽目板３の下端部には、図４に示すように、ナット９２ａを係止するための係止溝１９を形成してある。係止溝１９は、見込方向に貫通する断面コ字形のものであって、ボルト９１ａの位置に合わせて、６つ設けてある。各係止溝１９内にナット９２ａを挿入し、それぞれボルト９１ａと螺合させることで、梁１ａ、閉じ板８の上側の羽目板３、閉じ板８及び閉じ板８の下側の３枚の羽目板３を一体に締結する。
また、敷居１ｂの各貫通孔１１ｂから、締結部材９ｂとして、ボルト９１ｂを挿入する。ボルト９１ｂは、閉じ板８の下側の４枚の羽目板３の通し孔７を貫通して、下から４枚目の羽目板３の上端まで到達する。この羽目板３の上端部には、下から２枚目の羽目板３の下端部と同様に、係止溝１９を形成してある。係止溝１９は、ボルト９１ｂの位置に合わせて、７つ設けてある。各係止溝１９内にナット９２ｂを挿入し、それぞれボルト９１ｂと螺合させることで、敷居１ｂ及び閉じ板８の下側の４枚の羽目板３を一体に締結する。
このように、上側と下側のそれぞれから締結部材９ａ，９ｂを挿入してあり、上側から挿入した締結部材９ａと下側から挿入した締結部材９ｂが、梁１ａと敷居１ｂの中間部で水平方向に重なっているので、梁１ａと敷居１ｂ及びその間の羽目板３と閉じ板８の全体が一体となる。
【００１９】
さらに、図１、図２及び図３（ｄ）に示すように、このようにして一体に締結した羽目板３及び閉じ板８の表裏の両見付面に、それぞれ補強板１５を固定する。補強板１５は、上下の梁１ａと敷居１ｂ及び左右の柱２の内寸に略等しい矩形板状のものであって、２枚の補強板１５で羽目板３及び閉じ板８を挟み込み、ボルト２０で全ての羽目板３及び閉じ板８に固定する。
【００２０】
本発明による木造建築の面構造は、上記の如く、両柱２の溝４へ羽目板３のホゾ６を切欠部５から導入し両柱２の間に羽目板３を装着する継ぎ入れ工程と、羽目板３が装着された残余の開口部たる出入口Ｚに閉じ板８を嵌め入れて固定する閉じ込み工程と、両柱２に継ぎ入れた複数の羽目板３や閉じ板８と梁１ａ又は敷居１ｂとを、ボルト９１ａ，９１ｂとナット９２ａ，９２ｂからなる締結部材９ａ，９ｂで締結する締結工程とを順次経て、羽目板３及び閉じ板８の見付面に補強板１５を固定する補強工程を経ることによって構築する。なお、より高い一体化を得るために、継ぎ入れ工程は、溝４とホゾ６の間に接着剤を供給しつつ行う手法を採ってもよい。
【００２１】
このように構成した本発明の木造建築の面構造によれば、羽目板３と閉じ板８が、締結部材９ａ，９ｂにより上下の梁１ａ及び敷居１ｂにそれぞれ締結されており、梁１ａに締結される締結部材９ａと敷居１ｂに締結される締結部材９ｂが、梁１ａと敷居１ｂの中間部で水平方向に重なっているので、梁１ａ及び敷居１ｂと、全ての羽目板３及び閉じ板８が一体に締結され、構造全体として高い強度を備えている。そして、２枚の補強板１５で羽目板３と閉じ板８を挟み込み、補強板１５を全ての羽目板３と閉じ板８に固定してあるので、さらに強度が高められている。
また、柱２の溝４と羽目板３のホゾ６に、一般的なアリ加工を採用しているので、構造物の保形強度及び一体性が向上し耐震強度も高まることとなる。アリ加工は、開口側に比べて奥側（底側）が広がっている形状であるため、羽目板３の抜けに対して強い耐力を有する加工であると共に、柱２間の寸法保持の点でも高い強度を有する加工法である。当該工法によって得られる強度により、羽目板３の反りが生じ始めてもアリ継ぎが成された両側方より引き止められるため、反りを排した見栄えよい面構造を得ることが可能となる。そして、このようなホゾ継ぎと併せて締結部材９ａ，９ｂにより各部材を一体化することによって、前記種々の強度がより一層高まり、見栄え維持の面でもその効能を高めることとなる。
さらに、施工面においては、柱２の溝４に羽目板３のホゾ６を導入できる切欠部５を柱２の中間部に設定することにより、溝４でホゾ６を滑らせる距離を短縮することができるので、ぐらつかない程度の緊密性を維持しつつ柱２と羽目板３とのアリ継ぎによる連結を行うことが可能となる。また、保守面にあっても、柱２を取り外すことなく羽目板３の交換等が可能となり、長期に亘って良好な強度を維持できるという効果もある。
【００２２】
なお、図５は、これらの面構造を基に、滑り板３を芯材として、その表裏に断熱材１２を介在し遮音シート等の内装材１３と外壁材１４でその内外を挟み木造家屋の壁を構成した例である。
【００２３】
本発明は、上記の実施形態に限定されない。たとえば、横枠材と縦枠材の接合構造は、一例を示したものであって、どのようなものであってもよい。また、横枠材や縦枠材を三本以上設けて、この面構造を上下や左右に連設してもよい。さらに、滑り板の枚数や、締結部材の本数についても、適宜変更できる。また、切欠部（出入口）を複数設けて、それぞれに閉じ板を嵌め込んでもよい。さらに、補強板は、滑り板及び閉じ板の一方の見付面のみに取り付けてもよい。
【符号の説明】
【００２４】
１ａ  横枠材（梁）
１ｂ  横枠材（敷居）
２  縦枠材（柱）
３  滑り板（羽目板）
４  溝
５  切欠部
６  ホゾ
７  通し孔
８  閉じ板
９ａ，９ｂ  締結部材
１５  補強板
１６  通し孔
【図１】
0006360790.tif 000002
【図２】
0006360790.tif 000003
【図３】
0006360790.tif 000004
【図４】
0006360790.tif 000005
【図５】
0006360790.tif 000006